(57)【要約】      （修正有）【課題】低電圧駆動が可能なプラズマディスプレイ装置を提供する。【解決手段】本発明の一つの実施形態によるプラズマディスプレイ装置は、スキャン電極及びサステイン電極を含むプラズマディスプレイパネルと、リセット期間に印加されるセットダウンパルスの第１セッダウン電圧、アドレス期間に印加されるスキャンパルスのスキャン電圧及びサステイン期間に印加される負極性サステインパルスのサステイン電圧を第１電圧源を利用して前記スキャン電極に供給するスキャン駆動部を含む。【選択図】図３
2007171971.tif 000002
【特許請求の範囲】
【請求項１】
スキャン電極及びサステイン電極を含むプラズマディスプレイパネルと、
リセット期間に印加されるセットダウンパルスの第１セットダウン電圧、アドレス期間に印加されるスキャンパルスのスキャン電圧及びサステイン期間に印加される負極性サステインパルスのサステイン電圧を第１電圧源を利用して前記スキャン電極に供給するスキャン駆動部を含むプラズマディスプレイ装置。
【請求項２】
前記第１電圧源の電圧は負極性のサステイン電圧（−Ｖｓ）であることを特徴とする、請求項１に記載のプラズマディスプレイ装置。
【請求項３】
前記スキャン駆動部は、
前記第１電圧源に繋がれて前記スキャン電圧及び前記サステイン電圧を前記スキャン電極に供給するように制御するスキャン/サステイン電圧供給制御部と、
前記スキャン/サステイン電圧供給制御部と並列に接続されて、前記第１セットダウン電圧を前記スキャン電極に供給するように制御する第１セットダウン電圧供給制御部と、を含むことを特徴とする、請求項２に記載プラズマディスプレイ装置。
【請求項４】
前記スキャン駆動部は、
前記アドレス期間においてスキャン基準電圧を前記スキャン電極に供給するように制御するスキャン基準電圧供給制御部と、
前記サステイン期間において前記サステインパルスの基底電圧を前記スキャン電極に供給するように制御する第１基底電圧供給制御部と、を含むことを特徴とする、請求項３に記載のプラズマディスプレイ装置。
【請求項５】
前記スキャン基準電圧の電圧レベルは負極性の電圧レベルであることを特徴とする、請求項４に記載のプラズマディスプレイ装置。
【請求項６】
前記リセット期間において負極性の第２セットダウン電圧及び前記サステイン期間において基底電圧及び負極性のサステイン電圧を持つサステインパルスを前記サステイン電極に供給するサステイン駆動部をさらに含むことを特徴とする、請求項１に記載のプラズマディスプレイ装置。
【請求項７】
スキャン電極及びサステイン電極を含むプラズマディスプレイパネルと、
リセット期間に印加されるセットダウンパルスの第１セットダウン電圧及びサステイン期間に印加される負極性サステインパルスのサステイン電圧を第１電圧源を利用して前記スキャン電極に供給して、アドレス期間に印加されるスキャンパルスのスキャン電圧を第２電圧源を利用して前記スキャン電極に供給するスキャン駆動部と、を含むプラズマディスプレイ装置。
【請求項８】
前記第１電圧源の電圧は負極性のサステイン電圧（−Ｖｓ）で、前記第１電圧源の電圧レベルは前記第２電圧源の電圧レベルより低いことを特徴とする、請求項７に記載のプラズマディスプレイ装置。
【請求項９】
前記スキャン駆動部は、
前記第１電圧源に繋がれて前記サステイン電圧を前記スキャン電極に供給するように制御するサステイン電圧供給制御部と、
前記サステイン電圧供給制御部と並列に接続されて、前記第１セットダウン電圧を前記スキャン電極に供給するように制御する第１セットダウン電圧供給制御部と、
前記第２電圧源に繋がれて前記スキャン電圧を前記スキャン電極に供給するように制御するスキャン電圧供給制御部と、
を含むことを特徴とする、請求項８に記載のプラズマディスプレイ装置。
【請求項１０】
前記スキャン駆動部は、
前記アドレス期間においてスキャン基準電圧を前記スキャン電極に供給するように制御するスキャン基準電圧供給制御部と、
前記サステイン期間において前記サステインパルスの基底電圧を前記スキャン電極に供給するように制御する第１基底電圧供給制御部と、を含むことを特徴とする、請求項９に記載のプラズマディスプレイ装置。
【請求項１１】
前記スキャン基準電圧の電圧レベルは負極性の電圧レベルであることを特徴とする、請求項１０に記載のプラズマディスプレイ装置。
【請求項１２】
前記スキャン駆動部は、
前記サステイン期間において前記サステインパルスの基底電圧及び前記アドレス期間においてスキャン基準電圧を基底電圧源を通じて前記スキャン電極に供給するように制御する第１基底電圧供給制御部を含むことを特徴とする、請求項９記載のプラズマディスプレイ装置。
【請求項１３】
前記リセット期間において負極性の第２セットダウン電圧及び前記サステイン期間において基底電圧及び負極性のサステイン電圧を持つサステインパルスを前記サステイン電極に供給するサステイン駆動部をさらに含むことを特徴とする、請求項７記載のプラズマディスプレイ装置。
【請求項１４】
スキャン電極及びサステイン電極を含むプラズマディスプレイパネルと、
リセット期間に印加されるセットダウンパルスの第１セットダウン電圧及びアドレス期間に印加されるスキャンパルスのスキャン電圧を第１電圧源を利用して供給して、サステイン期間に印加される負極性サステインパルスのサステイン電圧を第２電圧源を利用して前記スキャン電極に供給するスキャン駆動部と、
前記リセット期間の間負極性の第２セットダウン電圧及び前記サステイン期間の間基底電圧及び負極性のサステイン電圧を持つサステインパルスを前記サステイン電極に供給するサステイン駆動部と、を含むプラズマディスプレイ装置。
【請求項１５】
前記第２電圧源の電圧は負極性のサステイン電圧（−Ｖｓ）で、前記第２電圧源の電圧レベルは前記第１電圧源の電圧レベルより低いことを特徴とする、請求項１４記載のプラズマディスプレイ装置。
【請求項１６】
前記スキャン駆動部は、
前記第１電圧源に繋がれて前記スキャン電圧を前記スキャン電極に供給するように制御するスキャン電圧供給制御部と、
前記スキャン電圧供給制御部と並列に接続されて前記第１セットダウン電圧を前記スキャン電極に供給するように制御する第１セットダウン電圧供給制御部と、
前記第２電圧源に繋がれて前記サステイン電圧を前記スキャン電極に供給するように制御するサステイン電圧供給制御部と、
を含むことを特徴とする、請求項１４記載のプラズマディスプレイ装置。
【請求項１７】
前記スキャン駆動部は、
前記アドレス期間の間スキャン基準電圧を前記スキャン電極に供給するように制御するスキャン基準電圧供給制御部と、
前記サステイン期間の間前記サステインパルスの基底電圧を前記スキャン電極に供給するように制御する第１基底電圧供給制御部と、を含むことを特徴とする、請求項１６記載のプラズマディスプレイ装置。
【請求項１８】
前記スキャン基準電圧の電圧レベルは負極性の電圧レベルであることを特徴とする、請求項１７記載のプラズマディスプレイ装置。
【請求項１９】
前記スキャン駆動部は、
前記サステイン期間の間前記サステインパルスの基底電圧及び前記アドレス期間の間スキャン基準電圧を基底電圧源を通じて前記スキャン電極に供給するように制御する第１基底電圧供給制御部を含むことを特徴とする、請求項１６記載のプラズマディスプレイ装置。
【発明の詳細な説明】
【技術分野】
【０００１】
本発明はディスプレイ装置に関し、さらに詳しくはプラズマディスプレイ装置及びその駆動方法に関する。
【背景技術】
【０００２】
一般的にディスプレイ装置の内でプラズマディスプレイ装置はプラズマディスプレイパネルとプラズマディスプレイパネルを駆動するための駆動部を含む。
【０００３】
一般的にプラズマディスプレイパネルは前面パネルと背面パネルの間に形成された隔壁が一つの放電セルを成すことで、各放電セル内にはネオン（Ｎｅ）、ヘリウム（Ｈｅ）またはネオン及びヘリウムの混合気体（Ｎｅ＋Ｈｅ）のような主放電気体と少量のキセノン（Ｘｅ）を含む不活性ガスが充填されている。
【０００４】
このような放電セルが複数集まって一つのピクセル（Ｐｉｘｅｌ）を成す。例えば赤色（Ｒｅｄ、Ｒ）放電セル、緑色（Ｇｒｅｅｎ、Ｇ）放電セル、青色（Ｂｌｕｅ、Ｂ）放電セルが集まって一つのピクセルを成すのである。
【０００５】
そして、このようなプラズマディスプレイパネルは高周波電圧によって放電される時、不活性ガスは真空紫外線（Ｖａｃｕｕｍ Ｕｌｔｒａｖｉｏｌｅｔ ｒａｙｓ）を発生して隔壁の間に形成された蛍光体を発光させて画像が具現される。このようなプラズマディスプレイパネルは薄く軽い構成が可能なので、次世代表示装置として脚光を浴びている。
【０００６】
一方、従来のプラズマディスプレイ装置は、リセット期間にリセットパルスを供給する時高い正極性の電圧と負極性の電圧を供給するから二つの電圧間の差を制御または絶縁するために高い耐圧を持つスイッチ素子を使うか、別途のスイッチ素子を使わなければならなかった。
【０００７】
また、リセット期間及びアドレス区間に電圧を供給するための回路と、サステイン区間に電圧を供給するための回路が別になっているから、従来のプラズマディスプレイ装置は費用が増加する問題点がある。
【発明の開示】
【発明が解決しようとする課題】
【０００８】
本発明の目的は、プラズマディスプレイ装置の回路を単純化して、低価格化を成して製造費用を節減することにある。
【課題を解決するための手段】
【０００９】
第１発明によるプラズマディスプレイ装置は、スキャン電極及びサステイン電極を含むプラズマディスプレイパネルとリセット期間に印加されるセットダウンパルスの第１セットダウン電圧、アドレス期間に印加されるスキャンパルスのスキャン電圧及びサステイン期間に印加される負極性サステインパルスのサステイン電圧を第１電圧源を利用して前記スキャン電極に供給するスキャン駆動部を含む。
【００１０】
第２発明によるプラズマディスプレイ装置は、第１発明によるプラズマディスプレイ装置において、前記第１電圧源の電圧は負極性のサステイン電圧（−Ｖｓ）である。
【００１１】
第３発明によるプラズマディスプレイ装置は、第２発明によるプラズマディスプレイ装置において、前記スキャン駆動部は、前記第１電圧源に繋がれて、前記スキャン電圧及び前記サステイン電圧を前記スキャン電極に供給するように制御するスキャン/サステイン電圧供給制御部、及び、前記スキャン/サステイン電圧供給制御部と並列に接続されて、前記第１セットダウン電圧を前記スキャン電極に供給するように制御する第１セットダウン電圧供給制御部を含む。
【００１２】
第４発明によるプラズマディスプレイ装置は、第３発明によるプラズマディスプレイ装置において、前記スキャン駆動部は、前記アドレス期間においてスキャン基準電圧を前記スキャン電極に供給するように制御するスキャン基準電圧供給制御部、及び、前記サステイン期間において前記サステインパルスの基底電圧を前記スキャン電極に供給するように制御する第１基底電圧供給制御部を含む。
【００１３】
第５発明によるプラズマディスプレイ装置は、第４発明によるプラズマディスプレイ装置において、前記スキャン基準電圧の電圧レベルは負極性の電圧レベルである。
【００１４】
第６発明によるプラズマディスプレイ装置は、第１発明によるプラズマディスプレイ装置において、前記リセット期間において負極性の第２セットダウン電圧及び前記サステイン期間において基底電圧及び負極性のサステイン電圧を持つサステインパルスを前記サステイン電極に供給するサステイン駆動部をさらに含む。
【００１５】
第７発明によるプラズマディスプレイ装置は、スキャン電極及びサステイン電極を含むプラズマディスプレイパネルと、リセット期間に印加されるセットダウンパルスの第１セットダウン電圧及びサステイン期間に印加される負極性サステインパルスのサステイン電圧を第１電圧源を利用して前記スキャン電極に供給して、アドレス期間に印加されるスキャンパルスのスキャン電圧を第２電圧源を利用して前記スキャン電極に供給するスキャン駆動部と、を含む。
【００１６】
第８発明によるプラズマディスプレイ装置は、第７発明によるプラズマディスプレイ装置において、前記第１電圧源の電圧は負極性のサステイン電圧（−Ｖｓ）で、前記第１電圧源の電圧レベルは前記第２電圧源の電圧レベルより低い。
【００１７】
第９発明によるプラズマディスプレイ装置は、第８発明によるプラズマディスプレイ装置において、前記スキャン駆動部は、前記第１電圧源に繋がれて、前記サステイン電圧を前記スキャン電極に供給するように制御するサステイン電圧供給制御部と、前記サステイン電圧供給制御部と並列に接続されて、前記第１セットダウン電圧を前記スキャン電極に供給するように制御する第１セットダウン電圧供給制御部、及び、前記第２電圧源に繋がれて、前記スキャン電圧を前記スキャン電極に供給するように制御するスキャン電圧供給制御部を含む。
【００１８】
第１０発明によるプラズマディスプレイ装置は、第９発明によるプラズマディスプレイ装置において、前記スキャン駆動部は、前記アドレス期間においてスキャン基準電圧を前記スキャン電極に供給するように制御するスキャン基準電圧供給制御部、及び、前記サステイン期間において前記サステインパルスの基底電圧を前記スキャン電極に供給するように制御する第１基底電圧供給制御部含む。
【００１９】
第１１発明によるプラズマディスプレイ装置は、第１０発明によるプラズマディスプレイ装置において、前記スキャン基準電圧の電圧レベルは負極性の電圧レベルである。
【００２０】
第１２発明によるプラズマディスプレイ装置は、第９発明によるプラズマディスプレイ装置において、前記スキャン駆動部は、前記サステイン期間において前記サステインパルスの基底電圧及び前記アドレス期間においてスキャン基準電圧を基底電圧源を通じて前記スキャン電極に供給するように制御する第１基底電圧供給制御部を含む。
【００２１】
第１３発明によるプラズマディスプレイ装置は、第７発明によるプラズマディスプレイ装置において、前記リセット期間において負極性の第２セットダウン電圧及び前記サステイン期間において基底電圧及び負極性のサステイン電圧を持つサステインパルスを前記サステイン電極に供給するサステイン駆動部をさらに含む。
【００２２】
第１４発明によるプラズマディスプレイ装置は、スキャン電極及びサステイン電極を含むプラズマディスプレイパネルと、リセット期間に印加されるセットダウンパルスの第１セットダウン電圧及びアドレス期間に印加されるスキャンパルスのスキャン電圧を第１電圧源を利用して供給して、サステイン期間に印加される負極性サステインパルスのサステイン電圧を第２電圧源を利用して前記スキャン電極に供給するスキャン駆動部及び前記リセット期間の間負極性の第２セットダウン電圧及び前記サステイン期間の間基底電圧及び負極性のサステイン電圧を持つサステインパルスを前記サステイン電極に供給するサステイン駆動部を含む。
【００２３】
第１５発明によるプラズマディスプレイ装置は、第１４発明によるプラズマディスプレイ装置において、前記第２電圧源の電圧は負極性のサステイン電圧（−Ｖｓ）で、前記第２電圧源の電圧レベルは前記第１電圧源の電圧レベルより低い。
【００２４】
第１６発明によるプラズマディスプレイ装置は、第１４発明によるプラズマディスプレイ装置において、前記スキャン駆動部は、前記第１電圧源に繋がれて、前記スキャン電圧を前記スキャン電極に供給するように制御するスキャン電圧供給制御部、前記スキャン電圧供給制御部と並列に接続されて、前記第１セットダウン電圧を前記スキャン電極に供給するように制御する第１セットダウン電圧供給制御部、及び、前記第２電圧源に繋がれて前記サステイン電圧を前記スキャン電極に供給するように制御するサステイン電圧供給制御部を含む。
【００２５】
第１７発明によるプラズマディスプレイ装置は、第１６発明によるプラズマディスプレイ装置において、前記スキャン駆動部は、前記アドレス期間においてスキャン基準電圧を前記スキャン電極に供給するように制御するスキャン基準電圧供給制御部、及び、前記サステイン期間において前記サステインパルスの基底電圧を前記スキャン電極に供給するように制御する第１基底電圧供給制御部含む。
【００２６】
第１８発明によるプラズマディスプレイ装置は、第１７発明によるプラズマディスプレイ装置において、前記スキャン基準電圧の電圧レベルは負極性の電圧レベルである。
【００２７】
第１９発明によるプラズマディスプレイ装置は、第１６発明によるプラズマディスプレイ装置において、前記スキャン駆動部は前記サステイン期間において前記サステインパルスの基底電圧及び前記アドレス期間においてスキャン基準電圧を基底電圧源を通じて前記スキャン電極に供給するように制御する第１基底電圧供給制御部を含む。
【発明の効果】
【００２８】
本発明によるプラズマディスプレイ装置は、スキャン駆動部とサステイン駆動部のリセット及びスキャン、サステイン電圧を皆負極性電圧と波形を使うので、正極性電圧と負極性電圧を同時に使った従来の駆動装置で存在したパススイッチを使う必要がなく、低電圧駆動ができるようになる。
【００２９】
また、複数の電圧を等しい電圧源を通じてプラズマディスプレイパネルに供給することで、回路を単純化してプラズマディスプレイ装置の低価格化をはかることができる。
【発明を実施するための最良の形態】
【００３０】
以下では本発明の一つの実施形態による具体的な実施形態を添付された図面を参照して説明する。
【００３１】
図１は本発明の一つの実施形態によるプラズマディスプレイ装置を説明するための図である。
【００３２】
図１を注意深くみれば、本発明の一つの実施形態によるプラズマディスプレイ装置は、プラズマディスプレイパネル１００とこのようなプラズマディスプレイパネル１００の電極に所定の駆動電圧を供給するための駆動部、望ましくはデータ駆動部１０１、スキャン駆動部１０２、サステイン駆動部１０３を含む。
【００３３】
ここで、スキャン駆動部１０２、サステイン駆動部１０３は、第１駆動部であることがあって、データ駆動部１０１は第２駆動部であることがある。
【００３４】
ここで、プラズマディスプレイパネル１００は、前面パネル（図示せず）と背面パネル（図示せず）が一定な間隔を置いて合着されて、複数の電極、例えば、スキャン電極（Ｙ）とサステイン電極（Ｚ）が複数個形成されることが望ましい。
【００３５】
このようなプラズマディスプレイパネル１００の構造を添付された図２を参照してさらに注意深く見れば次のようである。
【００３６】
図２は本発明の一つの実施形態によるプラズマディスプレイ装置でプラズマディスプレイパネルの構造の一例を説明するための図である。
【００３７】
図２を注意深く見れば、本発明の一つの実施形態によるプラズマディスプレイ装置のプラズマディスプレイパネル１００は、画像がディスプレイされる表示面である前面基板２０１にスキャン電極（２０２、Ｙ）とサステイン電極（２０３、Ｚ）が形成された前面パネル２００及び背面を成す背面基板２１１上に前述のスキャン電極（２０２、Ｙ）及びサステイン電極（２０３、Ｚ）と交差されるように複数のアドレス電極（２１３、Ｘ）が配列された背面パネル２１０が一定距離を間に置いて並んで結合される。
【００３８】
前面パネル２００は一つの放電空間、すなわち放電セルで相互放電させて放電セルの発光を維持するためのスキャン電極（２０２、Ｙ）及びサステイン電極（２０３、Ｚ）、すなわち透明なＩＴＯ物質で形成された透明電極（ａ）と金属材質で製作されたバス電極（ｂ）を備えたスキャン電極（２０２、Ｙ）及びサステイン電極（２０３、Ｚ）を含む。
【００３９】
スキャン電極（２０２、Ｙ）及びサステイン電極（２０３、Ｚ）は、放電電流を制限して電極対の間を絶縁させてくれる一つ以上の上部誘電体層２０４によって覆われて、上部誘電体層２０４上面には放電条件を容易にするために酸化マグネシウム（ＭｇＯ）を蒸着した保護層２０５が形成される。
【００４０】
背面パネル２１０は、複数個の放電空間、すなわち、放電セルを形成させるためのストライプタイプ(またはウェルタイプ)の隔壁２１２が平行を維持して配列される。また、アドレス放電を遂行して真空紫外線を発生させる複数のアドレス電極（２１３、Ｘ）が隔壁２１２に対して平行に配置される。
【００４１】
背面パネル２１０の上側面にはアドレス放電時に画像表示のための可視光線を放出するＲ、Ｇ、Ｂ蛍光体２１４が塗布される。アドレス電極（２１３、Ｘ）と蛍光体２１４の間にはアドレス電極（２１３、Ｘ）を保護するための下部誘電体層２１５が形成される。
【００４２】
ここ図２では本発明が適用されることができるプラズマディスプレイパネルの一例のみを示して説明したこととして、本発明が図２の構造のプラズマディスプレイパネルに限定されるのではないことを明らかにしておく。
【００４３】
例えば、図２では、スキャン電極（２０２、Ｙ）とサステイン電極（２０３、Ｚ）は、それぞれ透明電極（ａ）とバス電極（ｂ）からなる場合のみを示しているが、これとは異なり、スキャン電極（２０２、Ｙ）とサステイン電極（２０３、Ｚ）の内、少なくとも一つ以上はバス電極（ｂ）だけで成るか、または透明電極（ａ）だけで成ることも可能である。
【００４４】
また、スキャン電極（２０２、Ｙ）とサステイン電極（２０３、Ｚ）が前面パネル２００に含まれて、アドレス電極（２１３、Ｘ）は背面パネル２１０に含まれることのみを示して説明しているが、前面パネル２００にすべての電極が形成されると、またはスキャン電極（２０２、Ｙ）、サステイン電極（２０３、Ｚ）、アドレス電極（２１３、Ｘ）の内、少なくとも何れか一つの電極が隔壁２１２上に形成されることも可能である。
【００４５】
このような図２の内容を考慮する時、本発明が適用されることができるプラズマディスプレイパネルは、駆動電圧を供給するためのスキャン電極（２０２、Ｙ）、サステイン電極（２０３、Ｚ）及びアドレス電極（２１３、Ｘ）が形成されたことで、その以外の条件は構わないのである。
【００４６】
ここで、図２の説明をおわって、また図１の説明を引き続く事にする。
【００４７】
スキャン駆動部１０２は、リセット期間にプラズマディスプレイパネル１００のスキャン電極（Ｙ）で負極性のセットダウンパルスを供給して、アドレス期間に負極性のスキャンパルスを供給して、サステイン期間に負極性のサステインパルスを供給する。
【００４８】
サステイン駆動部１０３は、画像を表示するサステイン期間において、サステイン電極（Ｚ）から上述したスキャン電極（Ｙ）に印加されるサステインパルスと交互される負極性のサステインパルスを供給する。
【００４９】
データ駆動部１０１は、アドレス期間においてプラズマディスプレイパネル１００のアドレス電極（Ｘ）にデータパルス（Ｖｄ）を供給する。
【００５０】
図３は本発明の第１実施形態によるプラズマディスプレイ装置を示す図であり、図４は本発明の第１実施形態によるプラズマディスプレイ装置によって生成される駆動波形を示す図である。
【００５１】
図３及び図４を参照すれば、本発明の第１実施形態によるプラズマディスプレイ装置はスキャン駆動部３０及びサステイン駆動部４０を含む。
【００５２】
先ず、スキャン駆動部３０は、リセット期間（ＲＰ）において、基底電圧（ＧＮＤ）から負極性（−）の第１セットダウン電圧（−Ｖｓｅｔ−ｄｎ）まで立ち下がるセットダウンパルス（ＤＮＰ）をプラズマディスプレイパネル（Ｃｐａｎｅｌ）のスキャン電極（Ｙ）に供給すると同
時に、アドレス期間（ＡＰ）において、負極性のスキャン基準電圧（−Ｖｓｃ）及び負極性のスキャン電圧（−Ｖｙ）を持つスキャンパルス（ＳＣＮＰ）を供給する。
【００５３】
また、スキャン駆動部３０は、サステイン期間（ＳＰ）において、基底電圧（ＧＮＤ）及び負極性のサステイン電圧（−Ｖｓ）を持つサステインパルス（ＳＵＳＰｙ）をプラズマディスプレイパネル（Ｃｐａｎｅｌ）のスキャン電極（Ｙ）に供給する。
【００５４】
ここで、本発明の第１実施形態によるプラズマディスプレイ装置は、第１セットダウン電圧（−Ｖｓｅｔ−ｄｎ）、負極性のスキャン電圧（−Ｖｙ）及び負極性のサステイン電圧（−Ｖｓ）を等しい電圧源である第１電圧源（−Ｖｓ）を通じて供給する。
【００５５】
これによって、従来と異なり、リセット期間及びアドレス区間に電圧を供給するための回路とサステイン区間に電圧を供給するための回路を一つの回路を通じて駆動するので、駆動回路を単純化させることができる。これに関する詳しい内容は後述する。
【００５６】
このようなスキャン駆動部３０は、第１基底電圧供給制御部３１、スキャン基準電圧供給制御部３２、第１セットダウン電圧供給制御部３３、スキャン/サステイン電圧供給制御部３４、スキャン集積回路（Ｉｎｔｅｒｇｒａｔｅｄ Ｃｉｒｃｕｉｔ；以下"ＩＣ“とする）３５を含む。
【００５７】
第１基底電圧供給制御部３１は、スキャン基準電圧供給制御部３２とスキャン集積回路３５の共通端子に接続されて、サステイン期間にプラズマディスプレイパネル（Ｃｐａｎｅｌ）のスキャン電極（Ｙ）に基底電圧（ＧＮＤ）を供給するようにターンオンされる。このような第１基底電圧供給制御部３１は第３スイッチ（Ｑ３）を含む。
【００５８】
スキャン基準電圧供給制御部３２は、第６スイッチ（Ｑ６）を含み、第１基底電圧供給制御部３１とスキャン集積回路３５の共通端子に接続されている。スキャン基準電圧供給制御部３２は、アドレス期間（ＡＰ）において、プラズマディスプレイパネル（Ｃｐａｎｅｌ）のスキャン電極（Ｙ）に負極性のスキャン基準電圧（−Ｖｓｃ）を供給する。
【００５９】
スキャン基準電圧供給制御部３２は、タイミングコントローラから供給されるスイッチング制御信号に応答して、スキャン集積回路３５の第１スイッチ（Ｑ１）をターンオンさせて、プラズマディスプレイパネル（Ｃｐａｎｅｌ）のスキャン電極（Ｙ）に負極性のスキャン基準電圧（−Ｖｓｃ）を供給する。
【００６０】
第１セットダウン電圧供給制御部３３は、スキャン/サステイン電圧供給制御部３４と並列に接続されている。
【００６１】
第１セットダウン電圧供給制御部３３は、リセット期間（ＲＰ）においてタイミングコントローラ（図示せず）から供給されるスイッチング制御信号に応答して、基底電圧（ＧＮＤ）から負極性の第１セットダウン電圧（−Ｖｓｅｔ−ｄｎ）まで所定の傾きに立ち下がるセットダウンパルス（ＤＮＰ）をプラズマディスプレイパネル（Ｃｐａｎｅｌ）のスキャン電極（Ｙ）に供給する。
【００６２】
このような第１セットダウン電圧供給制御部３３は、スキャン/サステイン電圧供給制御部３４とスキャン集積回路３５の共通端子と第１電圧源（−Ｖｓ）の間に接続された第４スイッチ（Ｑ４）と第４スイッチ（Ｑ４）のゲート端子に接続された第１可変抵抗（Ｒ１）を含む。
【００６３】
スキャン/サステイン電圧供給制御部３４は、第１セットダウン電圧供給制御部３３と並列的に接続されている。スキャン/サステイン電圧供給制御部３４は、アドレス期間（ＡＰ）において、負極性のスキャン電圧（−Ｖｙ）を持つスキャンパルス（ＳＰ）をプラズマディスプレイパネル（Ｃｐａｎｅｌ）のスキャン電極（Ｙ）に供給する。
【００６４】
このようなスキャン/サステイン電圧供給制御部３４は、第１セットダウン電圧供給制御部３３とスキャン集積回路３５の共通端子と第１電圧源（−Ｖｓ）の間に接続された第５スイッチ（Ｑ５）を含む。
【００６５】
第５スイッチ（Ｑ５）は、タイミングコントローラから供給されるスイッチング制御信号に応答して、第１電圧源（−Ｖｓ）から供給される負極性のスキャン電圧（−Ｖｙ）をプラズマディスプレイパネル（Ｃｐａｎｅｌ）のスキャン電極（Ｙ）に供給する。
【００６６】
また、スキャン/サステイン電圧供給制御部３４は、サステイン期間において第１基底電圧供給制御部３１と交互的にプラズマディスプレイパネル（Ｃｐａｎｅｌ）のスキャン電極（Ｙ）に負極性のサステイン電圧（−Ｖｓ）を供給する。
【００６７】
第５スイッチ（Ｑ５）は、タイミングコントローラから供給されるスイッチング制御信号に応答して、負極性のサステイン電圧（−Ｖｓ）をプラズマディスプレイパネル（Ｃｐａｎｅｌ）のスキャン電極（Ｙ）に供給する。
【００６８】
スキャン集積回路３５は、第１基底電圧供給制御部３１とスキャン基準電圧供給制御部３２の共通端子及び第１セットダウン電圧供給制御部３３とスキャン/サステイン電圧供給制御部３４の共通端子の間にプッシュプル形態に接続される第１スイッチ（Ｑ１）及び第２スイッチ（Ｑ２）を含む。
【００６９】
ここで、第１スイッチ（Ｑ１）と第２スイッチ（Ｑ２）の共通端子はプラズマディスプレイパネル（Ｃｐａｎｅｌ）のスキャン電極（Ｙ）に接続される。
【００７０】
したがって、第１スイッチ（Ｑ１）はタイミング制御部のスイチング制御信号によってスキャン電極（Ｙ）に負極性のスキャン基準電圧（−Ｖｓｃ）及び基底電圧（ＧＮＤ）を供給して、第２スイッチ（Ｑ２）はタイミング制御部のスイチング制御信号によってスキャン電極（Ｙ）に負極性の第１セットダウン電圧（−Ｖｓｅｔ−ｄｎ）及びスキャン電圧（−Ｖｙ）及びサステイン電圧（−Ｖｓ）を供給する。
【００７１】
ここで、負極性の第１セットダウン電圧（−Ｖｓｅｔ−ｄｎ）及びスキャン電圧（−Ｖｙ）及びサステイン電圧（−Ｖｓ）は等しい電圧源である第１電圧源（−Ｖｓ）を通じて供給されるので、等しい電圧レベル（−Ｖｓ）を持つ。
【００７２】
このように、本発明の第１実施形態によるプラズマディスプレイ装置は、負極性の第１セットダウン電圧（−Ｖｓｅｔ−ｄｎ）、負極性のスキャン電圧（−Ｖｙ）及び負極性のサステイン電圧（−Ｖｓ）を等しい電圧源である第１電圧源（−Ｖｓ）を通じて供給するので、回路を単純化してプラズマディスプレイ装置の低価格化を実現することができる。
【００７３】
次に、サステイン駆動部４０は、リセット期間（ＲＰ）においてプラズマディスプレイパネル（Ｃｐａｎｅｌ）のサステイン電極（Ｚ）に所定の傾きに立ち下がるセットダウンパルス（ＤＮＰ）の負極性の第２セットダウン電圧（−Ｖ’ｓｅｔ−ｄｎ）を供給する。
【００７４】
また、サステイン駆動部４０は、アドレス期間（ＡＰ）においてプラズマディスプレイパネル（Ｃｐａｎｅｌ）のサステイン電極（Ｚ）に基底電圧（ＧＮＤ）を供給する。
【００７５】
また、サステイン駆動部４０は、サステイン期間（ＳＰ）において基底電圧（ＧＮＤ）及びサステイン電圧（−Ｖｓ）を持つ負極性のサステインパルス（ＳＵＳＰｚ）をプラズマディスプレイパネル（Ｃｐａｎｅｌ）のサステイン電極（Ｚ）に供給する。
【００７６】
このようなサステイン駆動部４０は、プラズマディスプレイパネル（Ｃｐａｎｅｌ）のサステイン電極（Ｚ）に基底電圧を供給するための第２基底電圧供給制御部４１と負極性のサステインパルスを供給するためのサステイン電圧供給制御部４２、第２セットダウン電圧（−Ｖ’ｓｅｔ−ｄｎ）を供給するための第２セットダウン電圧供給制御部４３を含む。
【００７７】
第２基底電圧供給制御部４１は、プラズマディスプレイパネル（Ｃｐａｎｅｌ）のサステイン電極（Ｚ）に接続されて、アドレス期間においてプラズマディスプレイパネル（Ｃｐａｎｅｌ）のサステイン電極（Ｚ）に基底電圧（ＧＮＤ）を供給すると同時に、サステイン期間においてサステイン電圧供給制御部４２と交互的にプラズマディスプレイパネル（Ｃｐａｎｅｌ）のサステイン電極（Ｚ）に基底電圧（ＧＮＤ）を供給する。
【００７８】
このような第２基底電圧供給制御部４１は、基底電圧源（ＧＮＤ）とサステイン電極（Ｚ）の間に接続された第８スイッチ（Ｑ８）を含む。
【００７９】
第８スイッチ（Ｑ８）は、タイミングコントローラから供給されるスイッチング制御信号に応答して、基底電圧源（ＧＮＤ）をプラズマディスプレイパネル（Ｃｐａｎｅｌ）のサステイン電極（Ｚ）に電気的に接続させる。
【００８０】
このような第８スイッチ（Ｑ８）は、サステイン期間において第９スイッチ（Ｑ９）と交互的に動作する。これによって、サステイン期間にプラズマディスプレイパネル（Ｃｐａｎｅｌ）のサステイン電極（Ｚ）には基底電圧（ＧＮＤ）及び負極性のサステイン電圧（−Ｖｓ）が交互的に供給される。
【００８１】
サステイン電圧供給制御部４２は、プラズマディスプレイパネル（Ｃｐａｎｅｌ）のサステイン電極（Ｚ）に接続されて、サステイン期間においてプラズマディスプレイパネル（Ｃｐａｎｅｌ）のサステイン電極（Ｚ）に負極性のサステイン電圧（−Ｖｓ）を供給する。
【００８２】
このようなサステイン電圧供給制御部４２は、負極性のサステイン電圧源（−Ｖｓ）とサステイン電極（Ｚ）の間に接続された第９スイッチ（Ｑ９）を含む。
【００８３】
第９スイッチ（Ｑ９）は、タイミングコントローラから供給されるスイッチング制御信号によってサステイン電圧源（−Ｖｓ）をサステイン電極（Ｚ）に電気的に接続させる。これによって、サステイン期間にサステイン電極（Ｚ）には負極性のサステイン電圧（−Ｖｓ）が供給される。
【００８４】
第２セットダウン電圧供給制御部４３は、プラズマディスプレイパネル（Ｃｐａｎｅｌ）のサステイン電極（Ｚ）に接続されて、リセット期間（ＲＰ）において負極性の特定電圧で負極性の第２セットダウン電圧（−Ｖ’ｓｅｔ−ｄｎ）まで所定の傾きに立ち下がる下降ランプ波形をプラズマディスプレイパネル（Ｃｐａｎｅｌ）のサステイン電極（Ｚ）に供給する。
【００８５】
第２セットダウン供給制御部４３は、負極性の第２セットダウン電圧源（−Ｖ’ｓｅｔ−ｄｎ）とプラズマディスプレイパネル（Ｃｐａｎｅｌ）のサステイン電極（Ｚ）の間に位置する第１０スイッチ（Ｑ１０）と第１０スイッチ（Ｑ１０）のゲート端子に接続された第２可変抵抗（Ｒ２）を含む。
【００８６】
第１０スイッチ（Ｑ１０）は、タイミングコントローラから供給されるスイッチング制御信号に応答して、第２セットダウン電圧源（−Ｖ’ｓｅｔ−ｄｎ）をプラズマディスプレイパネル（Ｃｐａｎｅｌ）のサステイン電極（Ｚ）に電気的に接続する。この時、第２可変抵抗（Ｒ２）は、第２セットダウン電圧源（−Ｖ’ｓｅｔ−ｄｎ）から供給される第２セットダウン電圧（−Ｖ’ｓｅｔ−ｄｎ）の傾きを制御する。
【００８７】
一方、上で説明したそれぞれのスイッチ（Ｑ１乃至Ｑ９）は、ボディーダイオードを内蔵した電界効果トランジスタ（Ｆｉｅｌｄ Ｅｆｆｅｃｔ Ｔｒａｎｓｉｓｔｏｒ；ＦＥＴ）が使われるのが望ましいが、これに制限されない。
【００８８】
図５は本発明の第２実施形態によるプラズマディスプレイ装置を示す図であり、図６は本発明の第２実施形態によるプラズマディスプレイ装置によって生成される駆動波形を示す図である。
【００８９】
図５及び図６を参照すれば、本発明の第１実施形態によるプラズマディスプレイ装置の内で第１セットダウン電圧供給制御部３３とスキャン/サステイン電圧供給制御部３４を除きスキャン駆動部及びサステイン駆動部の構成及び動作特性は等しいので、これに関する説明は略する。
【００９０】
本発明の第２実施形態によるプラズマディスプレイ装置は、本発明の第１実施形態によるプラズマディスプレイ装置と異なり、第１セットダウン電圧供給制御部５３とサステイン電圧供給制御部５６は等しい電圧源すなわち、第１電圧源（−Ｖｓ）を通じて第１セットダウン電圧（−Ｖｓｅｔ−ｄｎ）及び負極性のサステイン電圧（−Ｖｓ）をプラズマディスプレイパネル（Ｃｐａｎｅｌ）のスキャン電極（Ｙ）に供給して、スキャン電圧供給制御部５４は、第１電圧源（−Ｖｓ）とは異なる電圧レベルを持つ第２電圧源（−Ｖｙ）を通じて負極性のスキャン電圧（−Ｖｙ）をプラズマディスプレイパネル（Ｃｐａｎｅｌ）のスキャン電極（Ｙ）に供給する。
【００９１】
これによって、プラズマディスプレイパネルの特性によって負極性のスキャン電圧（−Ｖｙ）の電圧レベルを第１セットダウン電圧（−Ｖｓｅｔ−ｄｎ）及び負極性のサステイン電圧（−Ｖｓ）の電圧レベルと異にして供給することができる。
【００９２】
ここで、第１電圧源（−Ｖｓ）の電圧レベルは第２電圧源（−Ｖｙ）の電圧レベルより低くてもよい。
【００９３】
図７は本発明の第３実施形態によるプラズマディスプレイ装置を示す図であり、図８は本発明の第３実施形態によるプラズマディスプレイ装置によって生成される駆動波形を示す図である。
【００９４】
図７及び図８を参照すれば、本発明の第２実施形態によるプラズマディスプレイ装置のスキャン駆動部５０の内、第１基底電圧供給制御部５１とスキャン基準電圧供給制御部５２を除き、スキャン駆動部及びサステイン駆動部の構成及び動作特性は等しいので、これに関する説明は略する。
【００９５】
本発明の第３実施形態によるプラズマディスプレイ装置は、本発明の第２実施形態によるプラズマディスプレイ装置と異なり、スキャン基準電圧源（Ｖｓｃ）が存在せず、これによって、スキャン基準電圧供給制御部５２に相当する構成もまた省略されている。
【００９６】
すなわち、第１基底電圧供給制御部７１を通じて、リセット期間（ＲＰ）及びサステイン期間（ＳＰ）において、プラズマディスプレイパネル（Ｃｐａｎｅｌ）のスキャン電極（Ｙ）に基底電圧（ＧＮＤ）を供給するだけでなく、アドレス期間（ＡＰ）において基底電圧（ＧＮＤ）及び負極性のスキャン電圧（−Ｖｙ）を持つスキャンパルス（ＳＰ）を供給する。
【００９７】
このように、本発明の第３実施形態によるプラズマディスプレイ装置は、アドレス期間（ＡＰ）うちのスキャン基準電圧（Ｖｓｃ）を基底電圧源（ＧＮＤ）通じて供給するので、さらに回路を単純化することができる。
【００９８】
図９は本発明の第４実施形態によるプラズマディスプレイ装置を示す図であり、図１０は本発明の第４実施形態によるプラズマディスプレイ装置によって生成される駆動波形を示す図である。
【００９９】
図９及び図１０を参照すれば、本発明の第３実施形態によるプラズマディスプレイ装置のスキャン駆動部７０の内、スキャン電圧供給制御部７２と第１セットダウン電圧供給制御部７３及びサステイン電圧供給制御部７４を除きスキャン駆動部及びサステイン駆動部の構成及び動作特性は等しいのでこれに対する説明は略する。
【０１００】
本発明の第４実施形態によるプラズマディスプレイ装置は、本発明の第３実施形態によるプラズマディスプレイ装置と異なり、第１セットダウン電圧供給制御部９３とスキャン電圧供給制御部９２は、等しい電圧源、すなわち、第１電圧源（−Ｖｙ）を通じて第１セットダウン電圧（−Ｖｓｅｔ−ｄｎ）及び負極性のスキャン電圧（−Ｖｙ）をプラズマディスプレイパネル（Ｃｐａｎｅｌ）のスキャン電極（Ｙ）に供給して、サステイン電圧供給制御部９４は、第１電圧源（−Ｖｙ）とは異なる電圧レベルを持つ第２電圧源（−Ｖｓ）を通じて負極性のサステイン電圧（−Ｖｓ）をプラズマディスプレイパネル（Ｃｐａｎｅｌ）のスキャン電極（Ｙ）に供給する。
【０１０１】
これによって、プラズマディスプレイパネルの特性によって負極性のサステイン電圧（−Ｖｓ）の電圧レベルを第１セットダウン電圧（−Ｖｓｅｔ−ｄｎ）及び負極性のスキャン電圧（−Ｖｙ）の電圧レベルと異にして供給することができる。
【０１０２】
ここで、第２電圧源（−Ｖｓ）の電圧レベルは第１電圧源（−Ｖｙ）の電圧レベルより低くてもよい。
【０１０３】
図１1は本発明の第５実施形態によるプラズマディスプレイ装置を示す図であり、図１２は本発明の第５実施形態によるプラズマディスプレイ装置によって生成される駆動波形を示す図である。
【０１０４】
図１１及び図１２を参照すれば、本発明の第２実施形態によるプラズマディスプレイ装置のスキャン駆動部５０のスキャン電圧供給制御部５４と第１セットダウン電圧供給制御部５３及びサステイン電圧供給制御部５６を除き、スキャン駆動部及びサステイン駆動部の構成及び動作特性は等しいので、これに関する説明は略する。
【０１０５】
本発明の第５実施形態によるプラズマディスプレイ装置は、本発明の第２実施形態によるプラズマディスプレイ装置と異なり、第１セットダウン電圧供給制御部１１４とスキャン電圧供給制御部１１３は等しい電圧源、すなわち、第１電圧源（−Ｖｙ）を通じて第１セットダウン電圧（−Ｖｓｅｔ−ｄｎ）及び負極性のスキャン電圧（−Ｖｙ）をプラズマディスプレイパネル（Ｃｐａｎｅｌ）のスキャン電極（Ｙ）に供給して、サステイン電圧供給制御部１１５は、第１電圧源（−Ｖｙ）とは異なる電圧レベルを持つ第２電圧源（−Ｖｓ）を通じて負極性のサステイン電圧（−Ｖｓ）をプラズマディスプレイパネル（Ｃｐａｎｅｌ）のスキャン電極（Ｙ）に供給する。
【０１０６】
これによって、プラズマディスプレイパネルの特性によって負極性のサステイン電圧（−Ｖｓ）の電圧レベルを第１セットダウン電圧（−Ｖｓｅｔ−ｄｎ）及び負極性のスキャン電圧（−Ｖｙ）の電圧レベルと異にして供給することができる。
【０１０７】
ここで、第２電圧源（−Ｖｓ）の電圧レベルは第１電圧源（−Ｖｙ）の電圧レベルより低くてもよい。
【０１０８】
以上で詳しく説明したところのように、本発明の一つの実施形態によるプラズマディスプレイ装置は、スキャン駆動部とサステイン駆動部のリセット及びスキャン、サステイン電圧を皆負極性電圧と波形を使うので、正極性電圧と負極性電圧を同時に使った従来の駆動装置で存在したパススイッチを使う必要がなく、低電圧駆動ができるようになる。
【０１０９】
また、複数の電圧を等しい電圧源を通じてプラズマディスプレイパネルに供給することで、回路を単純化してプラズマディスプレイ装置の低価格化をはかることができる。
【図面の簡単な説明】
【０１１０】
【図１】本発明の一つの実施形態によるプラズマディスプレイ装置を説明するための図。
【図２】本発明の一つの実施形態によるプラズマディスプレイ装置でプラズマディスプレイパネルの構造の一例を説明するための図。
【図３】本発明の第１実施形態によるプラズマディスプレイ装置を示す図。
【図４】本発明の第１実施形態によるプラズマディスプレイ装置によって生成される駆動波形を示す図。
【図５】本発明の第２実施形態によるプラズマディスプレイ装置を示す図。
【図６】本発明の第２実施形態によるプラズマディスプレイ装置によって生成される駆動波形を示す図。
【図７】本発明の第３実施形態によるプラズマディスプレイ装置を示す図。
【図８】本発明の第３実施形態によるプラズマディスプレイ装置によって生成される駆動波形を示す図。
【図９】本発明の第４実施形態によるプラズマディスプレイ装置を示す図。
【図１０】本発明の第４実施形態によるプラズマディスプレイ装置によって生成される駆動波形を示す図。
【図１１】本発明の第５実施形態によるプラズマディスプレイ装置を示す図。
【図１２】本発明の第５実施形態によるプラズマディスプレイ装置によって生成される駆動波形を示す図である。
【図１】
2007171971.tif 000003
【図２】
2007171971.tif 000004
【図３】
2007171971.tif 000005
【図４】
2007171971.tif 000006
【図５】
2007171971.tif 000007
【図６】
2007171971.tif 000008
【図７】
2007171971.tif 000009
【図８】
2007171971.tif 000010
【図９】
2007171971.tif 000011
【図１０】
2007171971.tif 000012
【図１１】
2007171971.tif 000013
【図１２】
2007171971.tif 000014